(57)【要約】【課題】引き手装置の取付箇所での引き戸の内外寸法を必要最小限に保ちながらラッチ機能をこの引き手装置に備えさせるようにする。【解決手段】引き戸１００の上下方向に沿った回動軸線ｘを中心に回動操作可能に取り付けられる操作部材１０と、前後方向に移動可能に備えられると共に、引き戸１００を閉め込み切った状態において引き戸１００により閉塞される開放部２００における引き戸１００の突き当たり部２０１に設けられた被掛合部２０２に掛合される掛合部１１ａをアーム端に有するラッチアーム１１と、ラッチアーム１１を掛合部１１ａを被掛合部２０２に掛合させる移動位置に位置づけるように付勢する付勢手段１２と、操作部材１０の回動操作によってこの付勢に抗する向きにラッチアーム１１を移動させるように、操作部材１０とラッチアーム１１とを連係させる連係部材１３とを有している。【選択図】　　　図２
2004011177.tif 000002
【特許請求の範囲】
【請求項１】
引き戸の上下方向に沿った回動軸線を中心に回動操作可能に引き戸に取り付けられる操作部材と、
引き戸の前後方向に移動可能に引き戸に備えられると共に、引き戸を閉め込み切った状態においてこの引き戸により閉塞される開放部におけるこの引き戸の突き当たり部に設けられた被掛合部に掛合される掛合部をアーム端に有するラッチアームと、
このラッチアームをこのラッチアームの掛合部を被掛合部に掛合させる移動位置に位置づけるように付勢する付勢手段と、
操作部材の回動操作によってこの付勢手段の付勢に抗する向きにラッチアームを移動させるように、この操作部材とラッチアームとを連係させる連係部材とを有していることを特徴とする引き戸用の引き手装置。
【請求項２】
操作部材が、引き戸の上下方向に長いハンドルバーであることを特徴とする請求項１記載の引き戸用の引き手装置。
【請求項３】
連係部材が、ハンドルバーの端部の保持部と、ハンドルバーの回動軸と、この回動軸と離れた位置でラッチアームの一部に接触する接触部とを有していることを特徴とする請求項２記載の引き戸用の引き手装置。
【請求項４】
連係部材が、引き戸に開設された取付穴に引き戸の表面側から入れ込み取り付けられる取付ベース体に回動軸を回動可能にはめ付けて支持されるようにしてあると共に、
ラッチアームが、この取付ベース体の取付穴への入れ込み部内に前後方向に移動可能にその一部を入れ込ませてこの取付ベース体に組み合わされており、
連係部材の接触部が、このように取付ベース体の入れ込み部内に入れ込まれたラッチアームの一部に形成されたこの接触部より大きいリンク穴に入り込まされていると共に、
取付ベース体内に付勢手段が内蔵されていることを特徴とする請求項３記載の引き戸用の引き手装置。
【請求項５】
引き分け戸を構成する一方引き戸の上下方向に沿った回動軸線を中心に回動操作可能にこの一方引き戸に取り付けられる操作部材と、
この一方引き戸の前後方向に移動可能にこの一方引き戸に備えられると共に、この一方引き戸と他方引き戸とを共に閉め込み切った状態において他方引き戸の端部に設けられた被掛合部に掛合される掛合部をアーム端に有するラッチアームと、
このラッチアームをこのラッチアームの掛合部を被掛合部に掛合させる移動位置に位置づけるように付勢する付勢手段と、
操作部材の回動操作によってこの付勢手段の付勢に抗する向きにラッチアームを移動させるように、この操作部材とラッチアームとを連係させる連係部材とを有する一方引き戸側の引き手装置と、
引き分け戸を構成する他方引き戸の上下方向に沿った回動軸線を中心に回動操作可能にこの他方引き戸に取り付けられる操作部材と、
この他方引き戸の前後方向に移動可能にこの他方引き戸に備えられると共に、この他方引き戸と一方引き戸とを共に閉め込み切った状態においてこの他方引き戸の端部に設けられた被掛合部に掛合部を掛合させる一方引き戸側のラッチアームのアーム端の側方にアーム端を位置させるように配されるリリースアームと、
このリリースアームをこのリリースアームのアーム端を一方引き戸側のラッチアームのアーム端に押し付けさせない移動位置に位置づけるように付勢する付勢手段と、
操作部材の回動操作によってこの付勢手段の付勢に抗する向きにリリースアームを移動させるように、この操作部材とリリースアームとを連係させる連係部材とを有する他方引き戸側の引き手装置とによって構成されていると共に、
前記付勢手段の付勢に抗する向きのリリースアームの移動を通じたこのリリースアームのアーム端のラッチアームのアーム端への押し当たりにより、前記被掛合部と掛合部との掛合を解く向きにラッチアームがその付勢手段の付勢に抗して移動されるようにしてあることを特徴とする引き分け戸用の引き手装置。
【請求項６】
一方引き戸側の引き手装置を構成する操作部材が、一方引き戸の上下方向に長いハンドルバーであると共に、
他方引き戸側の引き手装置を構成する操作部材が、他方引き戸の上下方向に長いハンドルバーであることを特徴とする請求項５記載の引き分け戸用の引き手装置。
【請求項７】
一方引き戸側の引き手装置を構成する連係部材が、ハンドルバーの端部の保持部と、ハンドルバーの回動軸と、この回動軸と離れた位置でラッチアームの一部に接触する接触部とを有していると共に、
他方引き戸側の引き手装置を構成する連係部材が、ハンドルバーの端部の保持部と、ハンドルバーの回動軸と、この回動軸と離れた位置でリリースアームの一部に接触する接触部とを有していることを特徴とする請求項６記載の引き分け戸用の引き手装置。
【請求項８】
一方引き戸側の引き手装置を構成する連係部材が、一方引き戸に開設された取付穴にこの一方引き戸の表面側から入れ込み取り付けられる取付ベース体に回動軸を回動可能にはめ付けて支持されるようにしてあると共に、ラッチアームが、この取付ベース体の取付穴への入れ込み部内に前後方向に移動可能にその一部を入れ込ませてこの取付ベース体に組み合わされており、
一方引き戸側の引き手装置を構成する連係部材が、このように取付ベース体の入れ込み部内に入れ込まれたラッチアームの一部に形成されたこの接触部より大きいリンク穴に入り込まされていると共に、
この一方引き戸側の取付ベース体内に付勢手段が内蔵されており、
他方引き戸側の引き手装置を構成する連係部材が、他方引き戸に開設された取付穴にこの他方引き戸の表面側から入れ込み取り付けられる取付ベース体に回動軸を回動可能にはめ付けて支持されるようにしてあると共に、
リリースアームが、この取付ベース体の取付穴への入れ込み部内に前後方向に移動可能にその一部を入れ込ませてこの取付ベース体に組み合わされており、
他方引き戸側の引き手装置を構成する連係部材が、このように取付ベース体の入れ込み部内に入れ込まれたリリースアームの一部に形成されたこの接触部より大きいリンク穴に入り込まされていると共に、
この他方引き戸側の取付ベース体内に付勢手段が内蔵されていることを特徴とする請求項７記載の引き分け戸用の引き手装置。
【発明の詳細な説明】
【０００１】
【発明の属する技術分野】
この発明は、片引き戸などを構成する引き戸に備え付けられて、この引き戸の移動操作を行い易くさせると共に、引き戸を閉め込み切った状態を、解除可能に維持する機能を有する引き手装置の改良に関する。
【０００２】
【従来の技術】
引き戸が閉じ込み切った状態を、解除可能に維持するラッチ装置を引き戸の引き手部に備えさせた技術が開示されている。（公開特許公報所載の特開平８−１８９２４２、特開平９−２９１７４０参照）
【０００３】
これらの従来例にあっては、引き戸側に設けられているラッチレバーの掛合部が引き戸を閉め切ることにより、この引き戸により閉塞される開放部側に形成された被掛合部に引っかかって、この閉塞状態を維持するようになっている。
【０００４】
【発明が解決しようとする課題】
しかるに、これらの従来例にあっては、ラッチレバーの掛合部と被掛合部との掛合の解除を、このラッチレバーの回動による掛合部の移動によってなすようにしている。
【０００５】
このため、これらの従来例は、このラッチレバーの回動に必要なスペースを引き戸の引き手部に必要とするものであった。
【０００６】
特に、ラッチレバーの回動軸と掛合部との間の間隔が大きくなればなるほど、つまり、ラッチレバーが長くなればなるほど、このラッチレバーの回動に必要なスペースを引き戸の引き手部により大きく必要とするものであった。
【０００７】
こうしたことからまた、従来例の手法にあっては、ラッチレバーを長くすることに限界を有するものであった。例えば、引き戸に設けられる施錠装置などとの関係から、ラッチレバーの操作箇所と引き戸の前端との間の間隔を小さくできず、このため、ラッチレバーを長く構成しなければならない場合などにあっては、従来の手法では引き戸の引き手部に前記スペースを確保するため、この引き手部の内外寸法を徒に大きくせざるを得なかった。
【０００８】
そこでこの発明は、この種の引き手装置において、引き手装置の取付箇所での引き戸の内外寸法を必要最小限に保ちながら、この引き戸を閉じ込み切った状態を解除可能に維持するラッチ機能をこの引き手装置に備えさせるようにすることを主たる目的とする。
【０００９】
【課題を解決するための手段】
前記目的を達成するために、請求項１記載の発明にあっては、引き戸用の引き手装置が、以下の（１）〜（４）の構成を備えたものとした。
（１）引き戸の上下方向に沿った回動軸線を中心に回動操作可能に引き戸に取り付けられる操作部材と、
（２）引き戸の前後方向に移動可能に引き戸に備えられると共に、引き戸を閉め込み切った状態においてこの引き戸により閉塞される開放部におけるこの引き戸の突き当たり部に設けられた被掛合部に掛合される掛合部をアーム端に有するラッチアームと、
（３）このラッチアームをこのラッチアームの掛合部を被掛合部に掛合させる移動位置に位置づけるように付勢する付勢手段と、
（４）操作部材の回動操作によってこの付勢手段の付勢に抗する向きにラッチアームを移動させるように、この操作部材とラッチアームとを連係させる連係部材とを有している。
【００１０】
かかる構成によれば、操作部材を把持して引き戸を閉じ込み方向に、または、開き出し方向に移動操作することができる。
【００１１】
また、ラッチアームは引き戸の前後方向に移動可能に備えられると共に、付勢手段によりその掛合部を前記被掛合部に掛合させる位置に位置づけられることから、開放部が閉じられていない状態から引き戸を閉じ込み方向に移動させ、この引き戸を閉じ込み切ることにより、ラッチアームを前記付勢手段の付勢に抗する向きに一旦移動させた後、このラッチアームの掛合部が前記被掛合部に掛合可能となった位置においてこの付勢手段の付勢によりラッチアームを移動させて、この掛合部を被掛合部に掛合させるようにすることができる。これにより、引き戸の閉じ込み状態を維持させることができる。
【００１２】
また、このように閉じ込み状態を維持された状態から、操作部材を把持すると共にこの操作部材を回動させることにより、前記連係部材を介してラッチアームを前記付勢手段の付勢に抗する向きに移動させて前記掛合部と被掛合部との掛合を解き引き戸の開き出し方向への移動を許容させることができる。これにより、引き戸を再び開き出させることができる。
【００１３】
ラッチアームは引き戸の前後方向に移動されることから、このラッチアームの移動スペースはラッチアームの長さにかかわらず一定量で足りる。この結果、引き手装置の取り付け箇所と引き戸の前端との間に施錠装置などを取り付けるためにある程度の間隔が必要とされ、そのためにラッチアームを長く構成せざるを得ないような場合であっても、ラッチアームの移動スペースに格別の配慮を払うことなく引き戸に引き手装置を備えさせることができる。典型的には、引き戸の内外寸法を徒に大きくすることなく、引き戸に引き手装置を備えさせることができる。
【００１４】
また、請求項２記載の発明にあっては、請求項１記載の引き戸用の引き手装置における操作部材が、引き戸の上下方向に長いハンドルバーであることを特徴としている。
【００１５】
かかる構成によれば、引き戸の上下方向に亙る広い範囲で、操作部材、つまり、ハンドルバーの把持や、ハンドルバーの回動操作をなすことができる。
【００１６】
また、請求項３記載の発明にあっては、請求項２記載の引き戸用の引き手装置における連係部材が、ハンドルバーの端部の保持部と、ハンドルバーの回動軸と、この回動軸と離れた位置でラッチアームの一部に接触する接触部とを有していることを特徴としている。
【００１７】
かかる構成によれば、かかる連係部材により、ハンドルバーとラッチアームとを、このラッチアームの掛合部を被掛合部に掛合させた状態から、ハンドルバーを回動操作することにより移動される連係部材の接触部により前記付勢手段の付勢に抗する向きにラッチアームを移動させてこの掛合部と被掛合部との掛合を解くことができるように、組み付け合わせることができる。
【００１８】
また、請求項４記載の発明にあっては、請求項３記載の引き戸用の引き手装置における連係部材が、引き戸に開設された取付穴に引き戸の表面側から入れ込み取り付けられる取付ベース体に回動軸を回動可能にはめ付けて支持されるようにしてあると共に、
ラッチアームが、この取付ベース体の取付穴への入れ込み部内に前後方向に移動可能にその一部を入れ込ませてこの取付ベース体に組み合わされており、
連係部材の接触部が、このように取付ベース体の入れ込み部内に入れ込まれたラッチアームの一部に形成されたこの接触部より大きいリンク穴に入り込まされていると共に、
取付ベース体内に付勢手段が内蔵されていることを特徴としている。
【００１９】
かかる構成によれば、取付ベース体を引き戸の取付穴にその入れ込み部を入れ込ませて取り付けることにより、ハンドルバーを引き戸の表面側に備え付けると共に、引き戸の裏面側にラッチアームを配させ、さらに、このハンドルバーとラッチアームとを前記のように連係させることができる。
【００２０】
また、請求項５記載の発明にあっては、引き分け戸用の引き手装置が、以下の（１）〜（９）の構成を備えたものとした。
（１）引き分け戸を構成する一方引き戸の上下方向に沿った回動軸線を中心に回動操作可能にこの一方引き戸に取り付けられる操作部材と、
（２）この一方引き戸の前後方向に移動可能にこの一方引き戸に備えられると共に、この一方引き戸と他方引き戸とを共に閉め込み切った状態において他方引き戸の端部に設けられた被掛合部に掛合される掛合部をアーム端に有するラッチアームと、
（３）このラッチアームをこのラッチアームの掛合部を被掛合部に掛合させる移動位置に位置づけるように付勢する付勢手段と、
（４）操作部材の回動操作によってこの付勢手段の付勢に抗する向きにラッチアームを移動させるように、この操作部材とラッチアームとを連係させる連係部材とを有する一方引き戸側の引き手装置と、
（５）引き分け戸を構成する他方引き戸の上下方向に沿った回動軸線を中心に回動操作可能にこの他方引き戸に取り付けられる操作部材と、
（６）この他方引き戸の前後方向に移動可能にこの他方引き戸に備えられると共に、この他方引き戸と一方引き戸とを共に閉め込み切った状態においてこの他方引き戸の端部に設けられた被掛合部に掛合部を掛合させる一方引き戸側のラッチアームのアーム端の側方にアーム端を位置させるように配されるリリースアームと、
（７）このリリースアームをこのリリースアームのアーム端を一方引き戸側のラッチアームのアーム端に押し付けさせない移動位置に位置づけるように付勢する付勢手段と、
（８）操作部材の回動操作によってこの付勢手段の付勢に抗する向きにリリースアームを移動させるように、この操作部材とリリースアームとを連係させる連係部材とを有する他方引き戸側の引き手装置とによって構成されていると共に、
（９）前記付勢手段の付勢に抗する向きのリリースアームの移動を通じたこのリリースアームのアーム端のラッチアームのアーム端への押し当たりにより、前記被掛合部と掛合部との掛合を解く向きにラッチアームがその付勢手段の付勢に抗して移動されるようにしてある。
【００２１】
かかる構成によれば、操作部材を把持して一方引き戸を閉じ込み方向に、または、開き出し方向に移動操作することができる。
【００２２】
また、ラッチアームは一方引き戸の前後方向に移動可能に備えられると共に、付勢手段によりその掛合部を前記被掛合部に掛合させる位置に位置づけられることから、一方引き戸が開き出されており、かつ、他方引き戸が閉じ込まれている状態から、一方引き戸を閉じ込み方向に移動させ、この一方引き戸を閉じ込み切ることにより、ラッチアームを前記付勢手段の付勢に抗する向きに一旦移動させた後、このラッチアームの掛合部が前記被掛合部に掛合可能となった位置においてこの付勢手段の付勢によりラッチアームを移動させて、この掛合部を被掛合部に掛合させるようにすることができる。これにより、双方の引き戸の閉じ込み状態を維持させることができる。
【００２３】
また、一方引き戸と他方引き戸とが共に開き出されている状態から、双方の引き戸を閉じ込み方向に移動させ、この双方の引き戸を閉じ込み切ることにより、ラッチアームを前記付勢手段の付勢に抗する向きに一旦移動させた後、このラッチアームの掛合部が前記被掛合部に掛合可能となった位置においてこの付勢手段の付勢によりラッチアームを移動させて、この掛合部を被掛合部に掛合させるようにすることができる。これにより、双方の引き戸の閉じ込み状態を維持させることができる。
【００２４】
また、このように閉じ込み状態を維持された状態から、操作部材を把持すると共にこの操作部材を回動させることにより、前記連係部材を介してラッチアームを前記付勢手段の付勢に抗する向きに移動させて前記掛合部と被掛合部との掛合を解き一方引き戸の開き出し方向への移動を許容させることができる。これにより、一方引き戸を再び開き出させることができる。
【００２５】
ラッチアームは一方引き戸の前後方向に移動されることから、このラッチアームの移動スペースはラッチアームの長さにかかわらず一定量で足りる。この結果、引き手装置の取り付け箇所と一方引き戸の前端との間に施錠装置などを取り付けるためにある程度の間隔が必要とされ、そのためにラッチアームを長く構成せざるを得ない場合であっても、ラッチアームの移動スペースに格別の配慮を払うことなく一方引き戸に引き手装置を備えさせることができる。典型的には、一方引き戸の内外寸法を徒に大きくすることなく、一方引き戸に引き手装置を備えさせることができる。
【００２６】
また、操作部材を把持して他方引き戸を閉じ込み方向に、または、開き出し方向に移動操作することができる。
【００２７】
また、双方の引き戸が閉め込み切られた状態においては、一方引き戸側のラッチアームの掛合部が他方引き戸側の被掛合部に前記のように掛合されて双方の引き戸が共に閉め込み切られた状態が維持されることとなるが、この状態から、他方引き戸側の操作部材を把持すると共にこの操作部材を回動させることにより、前記連係部材を介してリリースアームを前記付勢手段の付勢に抗する向きに移動させて、このリリースアームのアーム端をラッチアームのアーム端に側方から押し当てることができる。そして、この押し当てにより、前記掛合部と被掛合部との掛合を解いて他方引き戸の開き出し方向への移動を許容させることができる。これにより、他方引き戸のみを開き出し方向に移動させることができる。
【００２８】
リリースアームは他方引き戸の前後方向に移動されることから、このリリースアームの移動スペースはリリースアームの長さにかかわらず一定量で足りる。この結果、引き手装置の取り付け箇所と他方引き戸の前端との間に施錠装置などを取り付けるためにある程度の間隔が必要とされ、そのためにリリースアームを長く構成せざるを得ない場合であっても、リリースアームの移動スペースに格別の配慮を払うことなく他方引き戸に引き手装置を備えさせることができる。典型的には、他方引き戸の内外寸法を徒に大きくすることなく、他方引き戸に引き手装置を備えさせることができる。
【００２９】
また、請求項６記載の発明にあっては、請求項５記載の引き分け戸用の引き手装置における、一方引き戸側の引き手装置を構成する操作部材が、一方引き戸の上下方向に長いハンドルバーであると共に、
他方引き戸側の引き手装置を構成する操作部材が、他方引き戸の上下方向に長いハンドルバーであることを特徴としている。
【００３０】
かかる構成によれば、一方引き戸および他方引き戸の上下方向に亙る広い範囲で、操作部材、つまり、ハンドルバーの把持や、ハンドルバーの回動操作をなすことができる。
【００３１】
また、請求項７記載の発明にあっては、請求項６記載の引き分け戸用の引き手装置における、一方引き戸側の引き手装置を構成する連係部材が、ハンドルバーの端部の保持部と、ハンドルバーの回動軸と、この回動軸と離れた位置でラッチアームの一部に接触する接触部とを有していると共に、
他方引き戸側の引き手装置を構成する連係部材が、ハンドルバーの端部の保持部と、ハンドルバーの回動軸と、この回動軸と離れた位置でリリースアームの一部に接触する接触部とを有していることを特徴としている。
【００３２】
かかる構成によれば、かかる連係部材により、ハンドルバーとラッチアームとを、このラッチアームの掛合部を被掛合部に掛合させた状態から、ハンドルバーを回動操作することにより移動される連係部材の接触部により前記付勢手段の付勢に抗する向きにラッチアームを移動させてこの掛合部と被掛合部との掛合を解くことができるように、組み付け合わせることができる。
【００３３】
また、かかる連係部材により、ハンドルバーとリリースアームとを、ハンドルバーを回動操作することにより移動される連係部材の接触部により前記付勢手段の付勢に抗する向きにリリースアームを移動させてこの押し当たり部をラッチアームの掛合部の設けられているアーム端に側方から押し当て、このラッチアームをその掛合部と被掛合部との掛合を解く向きに移動させることができるように、組み付け合わせることができる。
【００３４】
また、請求項８記載の発明にあっては、請求項７記載の引き分け戸用の引き手装置における、一方引き戸側の引き手装置を構成する連係部材が、一方引き戸に開設された取付穴にこの一方引き戸の表面側から入れ込み取り付けられる取付ベース体に回動軸を回動可能にはめ付けて支持されるようにしてあると共に、
ラッチアームが、この取付ベース体の取付穴への入れ込み部内に前後方向に移動可能にその一部を入れ込ませてこの取付ベース体に組み合わされており、
一方引き戸側の引き手装置を構成する連係部材が、このように取付ベース体の入れ込み部内に入れ込まれたラッチアームの一部に形成されたこの接触部より大きいリンク穴に入り込まされていると共に、
この一方引き戸側の取付ベース体内に付勢手段が内蔵されており、
他方引き戸側の引き手装置を構成する連係部材が、他方引き戸に開設された取付穴にこの他方引き戸の表面側から入れ込み取り付けられる取付ベース体に回動軸を回動可能にはめ付けて支持されるようにしてあると共に、
リリースアームが、この取付ベース体の取付穴への入れ込み部内に前後方向に移動可能にその一部を入れ込ませてこの取付ベース体に組み合わされており、
他方引き戸側の引き手装置を構成する連係部材が、このように取付ベース体の入れ込み部内に入れ込まれたリリースアームの一部に形成されたこの接触部より大きいリンク穴に入り込まされていると共に、
この他方引き戸側の取付ベース体内に付勢手段が内蔵されていることを特徴としている。
【００３５】
かかる構成によれば、取付ベース体を一方引き戸および他方引き戸の取付穴にその入れ込み部を入れ込ませて取り付けることにより、ハンドルバーを一方引き戸および他方引き戸の表面側に備え付けると共に、一方引き戸の裏面側にラッチアームを、他方引き戸の裏面側にリリースアームを配させ、さらに、このハンドルバーとラッチアームとを、また、ハンドルバーとリリースアームとを前記のように連係させることができる。
【００３６】
【発明の実施の形態】
以下、図１ないし図３０に基づいて、この発明の実施の形態について説明する。
【００３７】
なお、ここで図１ないし図１４は、引き戸用の引き手装置１およびその部品を表したものであり、また、図１５ないし図３０は、引き分け戸用の引き手装置１、２およびその部品を表している。
【００３８】
具体的には、図１は、引き戸用の引き手装置１の取り付けられた引き戸１００を正面側から見た状態で示している。図２ないし図７は、引き戸１００を横方向に断面にして表した構成図である。（図２と図５、図３と図６、図４と図７がそれぞれ同じ位置での断面となる。）図２ないし図４は、ラッチアーム１１の掛合状態を、図５ないし図７は、操作部材１０を操作してこのラッチアーム１１の掛合状態を解除した状態を示している。また、図８および図９は、かかる引き手装置１をそれぞれ表しており、また、図１０は、操作部材１０となるハンドルバー１０ａの上端部を支持する部材を、また、図１１は、かかるハンドルバー１０ａの下端部を支持する部材を、それぞれ示している。また、図１２は、かかるハンドルバー１０ａの下端部の支持状態を示している。また、図１３は、かかるハンドルバー１０ａの上端部を支持する部材を分解して、また、図１４は、かかるハンドルバー１０ａの下端部を支持する部材を分解して、それぞれ示している。
【００３９】
また、図１５は、引き分け戸用の引き手装置１、２の取り付けられたこの引き分け戸を構成する一方引き戸１００と他方引き戸３００とを正面側から見た状態で示している。図１６ないし図１９は、この一方引き戸１００と他方引き戸３００とを横方向に断面にして表した構成図である。（図１６、図１８および図１９は断面位置を同じくしている。）図１６および図１７は、ラッチアーム１１の掛合状態を、図１８は、一方引き戸１００側の操作部材１０を操作してこのラッチアーム１１の掛合状態を解除した状態を、図１９は、他方引き戸３００側の操作部材２０を操作してこのラッチアーム１１の掛合状態を解除した状態を示している。また、図２０は、一方引き戸１００側の引き手装置１を表しており、また、図２１は、一方引き戸１００側の操作部材１０となるハンドルバー１０ａの上端部を支持する部材を、また、図２２は、かかる一方引き戸１００側のハンドルバー１０ａの下端部を支持する部材を、それぞれ示している。また、図２３は、他方引き戸３００側の引き手装置２を表しており、また、図２４は、他方引き戸３００側の操作部材２０となるハンドルバー２０ａの上端部を支持する部材を、また、図２５は、かかる他方引き戸３００側のハンドルバー２０ａの下端部を支持する部材を、それぞれ示している。また、図２６は、一方引き戸１００側のハンドルバー１０ａの下端部の支持状態および他方引き戸３００側のハンドルバー２０ａの下端部の支持状態を示している。また、図２７は、他方引き戸３００側のハンドルバー２０ａの上端部を支持する部材を分解して、また、図２８は、かかる他方引き戸３００側のハンドルバー２０ａの下端部を支持する部材を分解して、それぞれ示している。また、図２９は、一方引き戸１００側のハンドルバー１０ａの上端部を支持する部材を分解して、また、図３０は、かかる一方引き戸１００側のハンドルバー１０ａの下端部を支持する部材を分解して、それぞれ示している。
【００４０】
（引き戸用の引き手装置）
先ず、図１ないし図１４に基づいて、引き戸用の引き手装置１の一例について説明する。
【００４１】
かかる装置１は、物置や書庫などの片引き戸や引違い戸や、建物のドアや戸を構成する建具としての片引き戸や引違い戸などの各種の片引き戸に用いられるものである。
【００４２】
かかる装置１は、典型的には、これらの片引き戸などを構成する引き戸１００における、この引き戸１００により閉塞される開放部２００の突き当たり部２０１に突き当てられる側（以下、引き戸１００のこの側を引き戸１００の前端１０１側という。）に備え付けられて、この引き戸１００の移動操作を行い易くさせる機能を有する。
【００４３】
また、かかる装置１は、この引き戸１００を閉め込み切った状態を、解除可能に維持する機能を有する。
【００４４】
かかる装置１は、
（１）操作部材１０と、
（２）ラッチアーム１１と、
（３）付勢手段１２と、
（４）連係部材１３とを有している。
【００４５】
操作部材１０は、引き戸１００を移動操作する際に把持されるものである。この操作部材１０は、引き戸１００の上下方向に沿った回動軸線ｘを中心に回動操作可能に引き戸１００に取り付けられるようになっている。
【００４６】
ラッチアーム１１は、引き戸１００を閉め込み切った状態を、解除可能に維持するものである。このラッチアーム１１は、引き戸１００の前後方向に移動可能に引き戸１００に備えられるようになっている。また、このラッチアーム１１は、引き戸１００を閉め込み切った状態においてこの引き戸１００により閉塞される開放部２００におけるこの引き戸１００の突き当たり部２０１に設けられた被掛合部２０２に掛合される掛合部１１ａをアーム端に有している。
【００４７】
付勢手段１２は、前記ラッチアーム１１をこのラッチアーム１１の掛合部１１ａを被掛合部２０２に掛合させる移動位置に位置づけるように付勢するものである。
【００４８】
連係部材１３は、前記操作部材１０の回動操作によって前記付勢手段１２の付勢に抗する向きにラッチアーム１１を移動させるように、この操作部材１０とラッチアーム１１とを連係させるものである。
【００４９】
これにより、この実施の形態にかかる引き手装置１によれば、操作部材１０を把持して引き戸１００を閉じ込み方向に、または、開き出し方向に移動操作することができる。
【００５０】
また、ラッチアーム１１は引き戸１００の前後方向に移動可能に備えられると共に、付勢手段１２によりその掛合部１１ａを前記被掛合部２０２に掛合させる位置に位置づけられることから、開放部２００が閉じられていない状態から引き戸１００を閉じ込み方向に移動させ、この引き戸１００を閉じ込み切ることにより、ラッチアーム１１を前記付勢手段１２の付勢に抗する向きに一旦移動させた後、このラッチアーム１１の掛合部１１ａが前記被掛合部２０２に掛合可能となった位置においてこの付勢手段１２の付勢によりラッチアーム１１を移動させて、この掛合部１１ａを被掛合部２０２に掛合させるようにすることができる。これにより、引き戸１００の閉じ込み状態を維持させることができる。
【００５１】
また、このように閉じ込み状態を維持された状態から、操作部材１０を把持すると共にこの操作部材１０を回動させることにより、前記連係部材１３を介してラッチアーム１１を前記付勢手段１２の付勢に抗する向きに移動させて前記掛合部１１ａと被掛合部２０２との掛合を解き引き戸１００の開き出し方向への移動を許容させることができる。これにより、引き戸１００を再び開き出させることができる。
【００５２】
ラッチアーム１１は引き戸１００の前後方向に移動されることから、このラッチアーム１１の移動スペースはラッチアーム１１の長さにかかわらず一定量で足りる。この結果、引き手装置１の取り付け箇所と引き戸１００の前端１０１との間に施錠装置Ｒなどを取り付けるためにある程度の間隔が必要とされ、そのためにラッチアーム１１を長く構成せざるを得ないような場合であっても、ラッチアーム１１の移動スペースに格別の配慮を払うことなく引き戸１００に引き手装置１を備えさせることができる。典型的には、引き戸１００の内外寸法を徒に大きくすることなく、引き戸１００に引き手装置１を備えさせることができる。
【００５３】
（操作部材１０）
この実施の形態にあっては、さらに、操作部材１０は、引き戸１００の上下方向に長いハンドルバー１０ａとして構成されている。
【００５４】
これにより、引き戸１００の上下方向に亙る広い範囲で、操作部材１０、つまり、ハンドルバー１０ａの把持や、ハンドルバー１０ａの回動操作をなすことができる。
【００５５】
図示の例では、かかるハンドルバー１０ａは、中空の管状をなすように構成されている。
【００５６】
（ラッチアーム１１）
この実施の形態にあっては、ラッチアーム１１は、引き戸１００の前端１０１側に向けられたアーム端に前記掛合部１１ａを備えている。
【００５７】
図示の例では、このラッチアーム１１は、後述する取付ベース体１４の入れ込み部１４ａ内に前後方向に移動可能に組み込まれており、この取付ベース体１４を引き戸１００に開設された取付穴１０２に引き戸１００の表面１０３側から入れ込み取り付けることにより、このラッチアーム１１が引き戸１００の裏面１０４側に備えられるようになっている。
【００５８】
このラッチアーム１１の掛合部１１ａは、図示の例では、引き戸１００の表面１０３側から離れる向きに向けて突き出す掛合突部１１ｂとして構成されている。
【００５９】
かかる掛合突部１１ｂは、その頂部１１ｃを挟んだ一方側に、この頂部１１ｃに向けて次第に引き戸１００の表面１０３から離れる向きに傾斜した傾斜面１１ｄを有すると共に、その頂部１１ｃを挟んだ他方側に引き戸１００の前後方向にほぼ沿った掛合面１１ｅを有している。そして、この掛合面１１ｅを前記引き戸１００の後端（前端１０１と反対の側）に向けるようにしている。
【００６０】
また、かかるラッチアーム１１は、その両端間に、引き戸１００の表面１０３側に向けて突き出すガイド部１１ｆを一体に備えている。図示の例では、このガイド部１１ｆは、後述する取付ベース体１４の支持部１４ｃ（取付ベース体１４における引き戸１００の取付穴１０２に入れ込まれない引き戸１００の表面１０３側に位置される部分）内に形成された一対のガイド壁１４ｄ、１４ｄ間に入り込まされており、これによりラッチアーム１１が引き戸１００の前後方向に規則的に移動されるようになっている。
【００６１】
このガイド部１１ｆには、後述する連係部材１３の接触部１３ｉとなる棒状体１３ｊが後述する取付ベース体１４のガイド穴１４ｅを通じて入り込むリンク穴１１ｇが貫通状態に設けられている。
【００６２】
図示の例では、開放部２００における引き戸１００の突き当たり部２０１に設けられた被掛合部２０２は、引き戸１００の表面１０３側に向けて突き出す爪状体２０３として構成されている。
【００６３】
また、図示の例では、ラッチアーム１１は、引き戸１００の表面１０３と、引き戸１００の前端１０１に形成された表面１０３側から裏面１０４側に向けた前後折り返し部１０５と、この前後折り返し部１０５の端部から引き戸１００の表面１０３にほぼ平行をなすように折り返された左右折り返し部１０６とに囲まれた空間内に掛合突部１１ｂの形成側を位置させるように備えられるようになっている。そして、前記被掛合部２０２となる爪状体２０３は、この引き戸１００の前後折り返し部１０５と左右折り返し部１０６とに設けられた割欠部１０７を通じて、引き戸１００の閉じ込み操作に伴って前記空間内に入り込み、この空間内で前記ラッチアーム１１の掛合突部１１ｂに掛合されるようになっている。（図２）
【００６４】
すなわち、開き出し状態にある引き戸１００を閉じ込み方向に移動させると、ラッチアーム１１の掛合突部１１ｂの傾斜面１１ｄが先ず爪状体２０３に突き当たり、この傾斜面１１ｄの傾斜によりラッチアーム１１は前記付勢手段１２の付勢に抗して引き戸１００の表面１０３側に次第に移動され、ラッチアーム１１の掛合突部１１ｂの頂部１１ｃが爪状体２０３の先端を乗り越えることが可能となると共に、この頂部１１ｃが爪状体２０３の先端を乗り越えると前記付勢手段１２の付勢によりラッチアーム１１は再び引き戸１００の表面１０３から離れる向きに移動され、爪状体２０３とラッチアーム１１の掛合突部１１ｂとが掛合される。（図２）
【００６５】
（付勢手段１２）
付勢手段１２は、図示の例では、ラッチアーム１１における引き戸１００の表面１０３側に向けられた面であって、前記掛合突部１１ｂとガイド部１１ｆの形成箇所の間と、後述する取付ベース体１４の支持部１４ｃの内部との間に介装されて、このラッチアーム１１を常時引き戸１００の表面１０３側から離れ出す向きに向けて付勢する圧縮コイルバネ１２ａにより構成されている。
【００６６】
（連係部材１３）
この実施の形態にあっては、連係部材１３は、
（１）ハンドルバー１０ａの端部の保持部１３ａと、
（２）ハンドルバー１０ａの回動軸１３ｅと、
（３）この回動軸１３ｅと離れた位置でラッチアーム１１の一部に接触する接触部１３ｉとを有している。
【００６７】
図示の例では、連係部材１３は、横向きに板面を配した基板１３ｋの一面側に前記保持部１３ａを、この基板１３ｋの他面側に前記回動軸１３ｅと接触部１３ｉとを有するように構成されている。
【００６８】
保持部１３ａは、中空のハンドルバー１０ａの内郭形状に倣った外面形状を有する差込部１３ｂと、このハンドルバー１０ａの外郭形状に倣った内面形状を有するカバー部１３ｃとを、この差込部１３ｂの外面とカバー部１３ｃの内面との間にハンドルバー１０ａの肉厚寸法分の間隔を開けて、前記基板１３ｋの一面側に一体に形成させることにより、構成されている。
【００６９】
そして、図示の例では、ハンドルバー１０ａの一方の端部（図示の例では下端部）に、この端部よりハンドルバー１０ａ内に前記差込部１３ｂが入れ込まれ、かつ、この端部の外側を前記カバー部１３ｃにより覆うようにして前記保持部１３ａを組み付けることにより、ハンドルバー１０ａと連係部材１３とが組み合わされるようになっている。図中符号１３ｄで示すのは、この組み合わせ状態を維持するために、ハンドルバー１０ａの外側から保持部１３ａにネジ付けられるネジである。
【００７０】
また、図示の例では、回動軸１３ｅは、前記基板１３ｋの他面からこの他面にほぼ直交する向きに突き出すと共に、後述する取付ベース体１４における支持部１４ｃの一面（図示の例では上面）に貫通状態に設けられた軸穴１４ｆに入れ込まれる筒状軸体１３ｆとして構成されている。
【００７１】
この筒状軸体１３ｆの対向位置には、前記軸穴１４ｆへのこの筒状軸体１３ｆの入れ込みに伴って一旦内向きに弾性変形した後、この軸穴１４ｆにこの筒状軸体１３ｆを入れ込み切った位置で弾発してこの軸穴１４ｆに対し取付ベース体１４の内部において掛合部１１ａ分を掛合させる弾性片１３ｇが設けられており、この弾性片１３ｇの掛合部分１３ｈの掛合によって連係部材１３と取付ベース体１４との組み合わせ状態が維持されるようになっている。
【００７２】
また、図示の例では、接触部１３ｉは、前記基板１３ｋの他面からこの他面にほぼ直交する向きに突き出す棒状体１３ｊとして構成されている。
【００７３】
そして、図示の例では、この棒状体１３ｊが、後述する取付ベース体１４における支持部１４ｃの一面（図示の例では上面）に貫通状態に設けられたガイド穴１４ｅを通じて、この取付ベース体１４の支持部１４ｃ内に入り込んでいる前記ラッチアーム１１のガイド部１１ｆに形成されたリンク穴１１ｇに入り込むようになっている。
【００７４】
かかるガイド穴１４ｅは、前記回動軸１３ｅの軸線、すなわち、前記操作部材１０の回動軸線ｘを円心とした仮想の円の円弧に沿った長穴状をなすように構成されており、このガイド穴１４ｅの一端側から他端側までの間での前記円弧に沿った棒状体１３ｊの移動を許容するように構成されている。
【００７５】
また、前記リンク穴１１ｇは、前記棒状体１３ｊの直径よりも大きい穴として構成されており、前記ガイド穴１４ｅにおける引き戸１００の表面１０３に近い端部に棒状体１３ｊが位置されている状態（図２の状態）および、このガイド穴１４ｅにおける引き戸１００の表面１０３に近い端部と反対の端部に棒状体１３ｊが位置されている状態（図５の状態）においてそれぞれ、前記付勢手段１２の付勢により異なる位置でこのリンク穴１１ｇの穴内壁を棒状体１３ｊに押し当てるように構成されている。
【００７６】
これにより、この実施の形態にあっては、かかる連係部材１３により、ハンドルバー１０ａとラッチアーム１１とを、このラッチアーム１１の掛合部１１ａ（掛合突部１１ｂ）を被掛合部２０２（爪状体２０３）に掛合させた状態（図２）から、ハンドルバー１０ａを回動操作することにより移動される連係部材１３の接触部１３ｉにより前記付勢手段１２の付勢に抗する向きにラッチアーム１１を移動させてこの掛合部１１ａと被掛合部２０２との掛合を解くことができるように、組み付け合わせることができる。
【００７７】
すなわち、かかる連係部材１３により、ハンドルバー１０ａの回動がラッチアーム１１の前後動となるように、ハンドルバー１０ａとラッチアーム１１とを連係させ合わせることができる。
【００７８】
（引き戸１００に対する取り付け）
この実施の形態にあっては、引き戸１００に開設された取付穴１０２に引き戸１００の表面１０３側から入れ込み取り付けられる取付ベース体１４によって、ハンドルバー１０ａが引き戸１００の表面１０３側に備え付けられると共に、引き戸１００の裏面１０４側にラッチアーム１１が配され、さらに、このハンドルバー１０ａとラッチアーム１１とが前記のように連係されるようになっている。
【００７９】
すなわち、この実施の形態にあっては、
（１）連係部材１３が、かかる取付ベース体１４に回動軸１３ｅを回動可能にはめ付けて支持されるようにしてある。
（２）また、ラッチアーム１１が、この取付ベース体１４の取付穴１０２への入れ込み部１４ａ内に前後方向に移動可能にその一部を入れ込ませてこの取付ベース体１４に組み合わされている。
（３）そして、連係部材１３の接触部１３ｉが、このように取付ベース体１４の入れ込み部１４ａ内に入れ込まれたラッチアーム１１の一部に形成されたこの接触部１３ｉより大きいリンク穴１１ｇに入り込まされていると共に、取付ベース体１４内に付勢手段１２が内蔵されている。
【００８０】
具体的には、かかる取付ベース体１４は、前記取付穴１０２への入れ込み部１４ａと、この入れ込み部１４ａを取付穴１０２に入れ込ませた状態で引き戸１００の表面１０３側にこの表面１０３から突き出し状に位置される支持部１４ｃとを備えている。
【００８１】
支持部１４ｃは、入れ込み部１４ａ側を開放させたケース状をなすように構成されている。
【００８２】
一方、入れ込み部１４ａは、この支持部１４ｃの開放部２００の上縁に沿って形成された上板部と、
この開放部２００の下縁に沿って形成された下板部と、この開放部２００の鉛直方向にある一方縁に沿って形成された側板部とにより構成されている。
【００８３】
そして、図示の例にあっては、この入れ込み部１４ａを構成する上板部と下板部との間に、側板部の設けられていない側から掛合部１１ａの形成側を側方に突き出させた状態で、ラッチアーム１１を前後動可能に納めさせている。
【００８４】
具体的には、かかる上板部と下板部とには、それぞれ、引き戸１００の前後方向に沿った割溝１４ｂが設けられており、ラッチアーム１１はその上部と下部に設けられた掛合突起１１ｈをこの割溝１４ｂに摺動可能にはめ込ませることにより、前記入れ込み部１４ａに前記のように納められている。
【００８５】
また、支持部１４ｃの中程には、前記開放部２００からこの支持部１４ｃの内奥部に亙る一対の仕切板１４ｇ、１４ｇが設けられており、この一対の仕切板１４ｇ、１４ｇの間に、ラッチアーム１１のガイド部１１ｆが納まるようにしてある。すなわち、この一対の仕切板１４ｇ、１４ｇの向き合った側が前記ガイド壁１４ｄとなるようにしてある。
【００８６】
また、支持部１４ｃの一面（図示の例では上面）には、この一対の仕切板１４ｇ、１４ｇ間の空間に連通するように前記ガイド穴１４ｅが設けられていると共に、この一対の仕切板１４ｇ、１４ｇを挟んだラッチアーム１１の掛合部１１ａの突き出し側と反対の側に前記軸穴１４ｆが設けられている。
【００８７】
また、この一対の仕切板１４ｇ、１４ｇを挟んだラッチアーム１１の掛合部１１ａの突き出し側となる支持部１４ｃの内部とラッチアーム１１との間に、前記圧縮コイルバネ１２ａが納められている。
【００８８】
そして、このように構成される取付ベース体１４に対し、前記のように連係部材１３が組み付け合わされるようになっている。
【００８９】
この結果、この実施の形態にあっては、取付ベース体１４を引き戸１００の取付穴１０２にその入れ込み部１４ａを入れ込ませて取り付けることにより、ハンドルバー１０ａを引き戸１００の表面１０３側に備え付けると共に、引き戸１００の裏面１０４側にラッチアーム１１を配させ、さらに、このハンドルバー１０ａとラッチアーム１１とを前記のように連係させることができる。
【００９０】
なお、図示の例では、ラッチアーム１１のガイド部１１ｆに形成されたリンク穴１１ｇに接触部１３ｉを入れ込ませている連係部材１３は、このラッチアーム１１が付勢手段１２によって引き戸１００の表面１０３から離れ出す向きに常時付勢されていることから、通常は、図２の状態にハンドルバー１０ａを位置づけさせる。
【００９１】
また、図示の例では、連係部材１３におけるハンドルバー１０ａの回動中心となる回動軸１３ｅの形成側と反対の側が引き戸１００の前端１０１側に向けられている。これにより、図示の例では、閉じ込み状態にある引き戸１００をハンドルバー１０ａを把持などして開き出し操作しようとするとハンドルバー１０ａもラッチアーム１１の掛合部１１ａと前記被掛合部２０２との掛合を解く向きにこのラッチアーム１１を移動させるように回動されることとなり、ハンドルバー１０ａの回動操作を特に意識しないでハンドルバー１０ａを把持などしても支障なく引き戸１００を開き出させることができるようになっている。
【００９２】
図示の例では、取付ベース体１４の入れ込み部１４ａと支持部１４ｃとの間に外鍔１４ｈが設けられており、このように取付穴１０２に入れ込まれた取付ベース体１４の入れ込み部１４ａに引き戸１００の裏面１０４側からこの入れ込み部１４ａにカバー体１４ｉを取り付け、このカバー体１４ｉと入れ込み部１４ａとをネジ止めすることによって、このカバー体１４ｉと外鍔１４ｈとにより引き戸１００の取付穴１０２の形成部分を前後から挟み付けて取付ベース体１４を引き戸１００に取り付けさせるようにしている。また、図示の例にあっては、カバー体１４ｉに形成された貫通穴１４ｊを通じて、前記ラッチアーム１１の掛合部１１ａを被掛合部２０２に掛合させるラッチアーム１１の移動位置においてカバー体１４ｉの背面から突き出す突起１１ｉがラッチアーム１１に設けられており、この突起１１ｉを押圧してもラッチアーム１１を付勢手段１２の付勢に抗して移動させて掛合部１１ａと被掛合部２０２との掛合を解くこともできるようになっている。これにより、例えば、かかる引き戸用の引き手装置１を物置の引き戸１００に取り付けた場合において、物置内からも引き戸１００を開放させることが可能となっている。
【００９３】
また、図示の例にあっては、ハンドルバー１０ａにおける他端部（図示の例では上端部）が、このハンドルバー１０ａの一端部（図示の例では下端部）を引き戸１００に以上に説明したように取り付けさせる取付ベース体１４とほぼ同一構造の取付ベース体１４によって同様に引き戸１００に取り付けさせるようにしてある。
【００９４】
このハンドルバー１０ａの上端部を取り付けさせるための取付ベース体１４にも、この取付ベース体１４の支持部１４ｃの下面側に、前記連係部材１３と同様の連係部材１３が組み付けられ、この連係部材１３にハンドルバー１０ａの上端部が保持される。
【００９５】
このハンドルバー１０ａの上端部を取り付けさせるための取付ベース体１４の入れ込み部１４ａにも、前記ラッチアーム１１にほぼ等しい構成を備えたスライド部材１５が納められているが、このスライド部材１５は入れ込み部１４ａから突き出す部分を持つようなアーム状には構成されていない。
【００９６】
また、取付ベース体１４内には、スライド部材１５を常時引き戸１００の表面１０３から離れる向きに付勢する付勢手段１２として機能する圧縮コイルバネ１２ａが納められている。
【００９７】
これにより、図示の例では、ハンドルバー１０ａを引き戸１００の上下方向に長く構成していても、このハンドルバー１０ａを安定的に引き戸１００に対し支持することができる。
【００９８】
ハンドルバー１０ａの上端部を取り付けさせるための取付ベース体１４、連係部材１３、付勢手段１２としての圧縮コイルバネ１２ａは、ハンドルバー１０ａの下端部を取り付けさせるための取付ベース体１４、連係部材１３、付勢手段１２としての圧縮コイルバネ１２ａと実質的に同一であるので、その余の説明は、両者の各部に対する符号を同一の符号とすることにより省略する。
【００９９】
また、ハンドルバー１０ａの上端部を取り付けさせるための取付ベース体１４に納められるスライド部材１５は、ハンドルバー１０ａの下端部を取り付けさせるための取付ベース体１４に納められるラッチアーム１１と一部を除き実質的に同一であるので、その余の説明は、両者の各部に対する符号を同一の符号とすることにより省略する。
【０１００】
（引き分け戸用の引き手装置１、２）
次いで、図１５ないし図３０に基づいて、引き分け戸用の引き手装置１、２の一例について説明する。
【０１０１】
かかる装置１は、物置や書庫などの引き分け戸用や、建物のドアや戸を構成する建具としての引き分け戸用などの各種の引き分け戸用に用いられるものである。
【０１０２】
かかる装置１は、典型的には、これらの引き分け戸用を構成する一方引き戸１００と他方引き戸３００における、双方の引き戸１００、３００を共に閉め切った状態において相手引き戸（１００あるいは３００）の端部に突き当てられる側（以下、双方の引き戸１００、３００のこの側をこれら引き戸１００、３００の前端１０１、３０３側という。）に備え付けられて、これらの引き戸１００、３００の移動操作を行い易くさせる機能を有する。
【０１０３】
また、かかる装置１は、このように双方の引き戸１００、３００を閉め込み切った状態を、解除可能に維持する機能を有する。
【０１０４】
（一方引き戸１００側の引き手装置１）
引き分け戸を構成する一方引き戸１００側の引き手装置１は、
（１）操作部材１０と、
（２）ラッチアーム１１と、
（３）付勢手段１２と、
（４）連係部材１３とを有している。
【０１０５】
操作部材１０は、一方引き戸１００を移動操作する際に把持されるものである。この操作部材１０は、一方引き戸１００の上下方向に沿った回動軸線ｘを中心に回動操作可能に一方引き戸１００に取り付けられるようになっている。
【０１０６】
ラッチアーム１１は、一方引き戸１００を閉め込み切った状態を、解除可能に維持するものである。このラッチアーム１１は、一方引き戸１００の前後方向に移動可能に一方引き戸１００に備えられるようになっている。また、このラッチアーム１１は、一方引き戸１００を閉め込み切った状態において他方引き戸３００の前端３０３部に設けられた被掛合部３０１に掛合される掛合部１１ａをアーム端に有している。
【０１０７】
付勢手段１２は、前記ラッチアーム１１をこのラッチアーム１１の掛合部１１ａを被掛合部３０１に掛合させる移動位置に位置づけるように付勢するものである。
【０１０８】
連係部材１３は、前記操作部材１０の回動操作によって前記付勢手段１２の付勢に抗する向きにラッチアーム１１を移動させるように、この操作部材１０とラッチアーム１１とを連係させるものである。
【０１０９】
これにより、この実施の形態にかかる引き手装置１によれば、操作部材１０を把持して一方引き戸１００を閉じ込み方向に、または、開き出し方向に移動操作することができる。
【０１１０】
また、ラッチアーム１１は一方引き戸１００の前後方向に移動可能に備えられると共に、付勢手段１２によりその掛合部１１ａを前記被掛合部３０１に掛合させる位置に位置づけられることから、一方引き戸１００が開き出されており、かつ、他方引き戸３００が閉じ込まれている状態から、一方引き戸１００を閉じ込み方向に移動させ、この一方引き戸１００を閉じ込み切ることにより、ラッチアーム１１を前記付勢手段１２の付勢に抗する向きに一旦移動させた後、このラッチアーム１１の掛合部１１ａが前記被掛合部３０１に掛合可能となった位置においてこの付勢手段１２の付勢によりラッチアーム１１を移動させて、この掛合部１１ａを被掛合部３０１に掛合させるようにすることができる。これにより、双方の引き戸１００、３００の閉じ込み状態を維持させることができる。
【０１１１】
また、一方引き戸１００と他方引き戸３００とが共に開き出されている状態から、双方の引き戸１００、３００を閉じ込み方向に移動させ、この双方の引き戸１００、３００を閉じ込み切ることにより、ラッチアーム１１を前記付勢手段１２の付勢に抗する向きに一旦移動させた後、このラッチアーム１１の掛合部１１ａが前記被掛合部３０１に掛合可能となった位置においてこの付勢手段１２の付勢によりラッチアーム１１を移動させて、この掛合部１１ａを被掛合部３０１に掛合させるようにすることができる。これにより、双方の引き戸１００、３００の閉じ込み状態を維持させることができる。
【０１１２】
また、このように閉じ込み状態を維持された状態から、操作部材１０を把持すると共にこの操作部材１０を回動させることにより、前記連係部材１３を介してラッチアーム１１を前記付勢手段１２の付勢に抗する向きに移動させて前記掛合部１１ａと被掛合部３０１との掛合を解き一方引き戸１００の開き出し方向への移動を許容させることができる。これにより、一方引き戸１００を再び開き出させることができる。
【０１１３】
ラッチアーム１１は一方引き戸１００の前後方向に移動されることから、このラッチアーム１１の移動スペースはラッチアーム１１の長さにかかわらず一定量で足りる。この結果、引き手装置１の取り付け箇所と一方引き戸１００の前端との間に施錠装置Ｒなどを取り付けるためにある程度の間隔が必要とされ、そのためにラッチアーム１１を長く構成せざるを得ないような場合であっても、ラッチアーム１１の移動スペースに格別の配慮を払うことなく一方引き戸１００に引き手装置１を備えさせることができる。典型的には、一方引き戸１００の内外寸法を徒に大きくすることなく、一方引き戸１００に引き手装置１を備えさせることができる。
【０１１４】
この一方引き戸１００側の引き手装置１の構成は、前述の図１ないし図１４に示される引き戸用の引き手装置１と実質的に同一であるので、この実施の形態にかかる一方引き戸１００側の引き手装置１の各部の説明は、この実施の形態にかかる一方引き戸１００側の引き手装置１を示す各図に前述の図１ないし図１４に示される引き戸用の引き手装置１を示す各図に用いた符号と同一の符号を付すことにより、その説明を省略する。
【０１１５】
（他方引き戸３００側の引き手装置２）
引き分け戸を構成する他方引き戸３００側の引き手装置２は、
（１）操作部材２０と、
（２）リリースアーム２１と、
（３）付勢手段２２と、
（４）連係部材２３とを有している。
【０１１６】
操作部材２０は、他方引き戸３００を移動操作する際に把持されるものである。この操作部材２０は、他方引き戸３００の上下方向に沿った回動軸線ｘを中心に回動操作可能に他方引き戸３００に取り付けられるようになっている。
【０１１７】
リリースアーム２１は、他方引き戸３００を閉め込み切った状態を、解除可能とするものである。このリリースアーム２１は、他方引き戸３００の前後方向に移動可能に他方引き戸３００に備えられるようになっている。また、このリリースアーム２１は、この他方引き戸３００と一方引き戸１００とを共に閉め込み切った状態においてこの他方引き戸３００の端部に設けられた被掛合部３０１に掛合部１１ａを掛合させる一方引き戸１００側のラッチアーム１１のアーム端の側方にアーム端を位置させるように配される。
【０１１８】
付勢手段２２は、前記リリースアーム２１を、一方引き戸１００側のラッチアーム１１のアーム端に押し付けさせない移動位置に位置づけるように付勢するものである。
【０１１９】
連係部材２３は、前記操作部材２０の回動操作によって前記付勢手段２２の付勢に抗する向きにリリースアーム２１を移動させるように、この操作部材２０とリリースアーム２１とを連係させるものである。
【０１２０】
また、かかる他方引き戸３００側の引き手装置２にあっては、前記付勢手段２２の付勢に抗する向きのリリースアーム２１の移動を通じたこのリリースアーム２１のアーム端のラッチアーム１１のアーム端への押し当たりにより、前記被掛合部３０１と掛合部１１ａとの掛合を解く向きにラッチアーム１１がその付勢手段１２の付勢に抗して移動されるようにしてある。
【０１２１】
これにより、この実施の形態にかかる引き手装置２によれば、操作部材２０を把持して他方引き戸３００を閉じ込み方向に、または、開き出し方向に移動操作することができる。
【０１２２】
また、双方の引き戸１００、３００が閉め込み切られた状態においては、一方引き戸１００側のラッチアーム１１の掛合部１１ａが他方引き戸３００側の被掛合部３０１に前記のように掛合されて双方の引き戸１００、３００が共に閉め込み切られた状態が維持されることとなるが、この状態から、他方引き戸３００側の操作部材２０を把持すると共にこの操作部材２０を回動させることにより、前記連係部材２３を介してリリースアーム２１を前記付勢手段２２の付勢に抗する向きに移動させて、このリリースアーム２１のアーム端をラッチアーム１１のアーム端に側方から押し当てることができる。そして、この押し当てにより、前記掛合部１１ａと被掛合部３０１との掛合を解いて他方引き戸３００の開き出し方向への移動を許容させることができる。これにより、他方引き戸３００のみを開き出し方向に移動させることができる。
【０１２３】
リリースアーム２１は他方引き戸３００の前後方向に移動されることから、このリリースアーム２１の移動スペースはリリースアーム２１の長さにかかわらず一定量で足りる。この結果、引き手装置１の取り付け箇所と他方引き戸３００の前端３０３との間に施錠装置Ｒなどを取り付けるためにある程度の間隔が必要とされ、そのためにリリースアーム２１を長く構成せざるを得ないような場合であっても、リリースアーム２１の移動スペースに格別の配慮を払うことなく他方引き戸３００に引き手装置１を備えさせることができる。典型的には、他方引き戸３００の内外寸法を徒に大きくすることなく、他方引き戸３００に引き手装置２を備えさせることができる。
【０１２４】
（他方引き戸３００側の引き手装置２を構成する操作部材２０）
この実施の形態にあっては、さらに、操作部材２０は、他方引き戸３００の上下方向に長いハンドルバー２０ａとして構成されている。
【０１２５】
これにより、他方引き戸３００の上下方向に亙る広い範囲で、操作部材２０、つまり、ハンドルバー２０ａの把持や、ハンドルバー２０ａの回動操作をなすことができる。
【０１２６】
図示の例では、かかるハンドルバー２０ａは、中空の管状をなすように構成されている。
【０１２７】
（リリースアーム２１）
この実施の形態にあっては、リリースアーム２１は、他方引き戸３００の前端３０３側に向けられたアーム端を、前記ラッチアーム１１への押し当たり部２１ａとするように構成されている。
【０１２８】
図示の例では、このリリースアーム２１は、後述する取付ベース体２４の入れ込み部２４ａ内に前後方向に移動可能に組み込まれており、この取付ベース体２４を他方引き戸３００に開設された取付穴３０４に他方引き戸３００の表面３０５側から入れ込み取り付けることにより、このリリースアーム２１が他方引き戸３００の裏面３０６側に備えられるようになっている。
【０１２９】
また、かかるリリースアーム２１は、その両端間に、他方引き戸３００の表面３０５側に向けて突き出すガイド部２１ｂを一体に備えている。図示の例では、このガイド部２１ｂは、後述する取付ベース体２４の支持部２４ｃ（取付ベース体２４における他方引き戸３００の取付穴３０４に入れ込まれない他方引き戸３００の表面３０５側に位置される部分）内に形成された一対のガイド壁２４ｄ、２４ｄ間に入り込まされており、これによりリリースアーム２１が他方引き戸３００の前後方向に規則的に移動されるようになっている。
【０１３０】
このガイド部２１ｂには、後述する連係部材２３の接触部２３ｉとなる棒状体２３ｊが後述する取付ベース体２４のガイド穴２４ｅを通じて入り込むリンク穴２１ｃが貫通状態に設けられている。
【０１３１】
図示の例では、リリースアーム２１は、他方引き戸３００の表面３０５と、他方引き戸３００の前端３０３に形成された表面３０５側から裏面３０６側に向けた前後折り返し部３０７と、この前後折り返し部３０７の端部から他方引き戸３００の背面にほぼ平行をなすように折り返された左右折り返し部３０８とに囲まれた空間内に押し当たり部２１ａの形成側を位置させるように備えられるようになっている。
【０１３２】
そして、前記被掛合部３０１は、この他方引き戸３００の前後折り返し部３０７に開設された掛合穴３０２として構成されている。
【０１３３】
また、図示の例では、一方引き戸１００側のラッチアーム１１のアーム端は、この一方引き戸１００の前端１０１に開設された貫通穴１０８を通じて、この前端１０１から外方に突き出されており、この一方引き戸１００の閉じ込み操作に伴って前記被掛合部３０１となる掛合穴３０２に入り込み、この掛合穴３０２に掛合されるようになっている。（図１６）
【０１３４】
すなわち、開き出し状態にある他方引き戸３００を閉じ込み方向に移動させると、ラッチアーム１１の掛合突部１１ｂの傾斜面１１ｄが先ず被掛合部３０１となる掛合穴３０２の穴縁（図示の例では、他方引き戸３００の左右折り返し部３０８側にある穴縁）に突き当たり、この傾斜面１１ｄの傾斜によりラッチアーム１１は前記付勢手段１２の付勢に抗して一方引き戸１００の表面３０５側に次第に移動され、ラッチアーム１１の掛合突部１１ｂの頂部１１ｃが掛合穴３０２の穴縁を乗り越えることが可能となると共に、この頂部１１ｃが掛合穴３０２の穴縁を乗り越えると前記付勢手段１２の付勢によりラッチアーム１１は再び一方引き戸１００の表面から離れる向きに移動され、掛合穴３０２とラッチアーム１１の掛合突部１１ｂとが掛合される。（図１６）
【０１３５】
そして、図示の例では、このように掛合穴３０２にアーム端を入れ込ませ、掛合穴３０２に掛合突部１１ｂを掛合させたラッチアーム１１のこの掛合突部１１ｂの頂部１１ｃと他方引き戸３００の左右折り返し部３０８との間に、リリースアーム２１のアーム端、つまり、押し当たり部２１ａが位置されるようになっている。（図１６）
【０１３６】
（他方引き戸３００側の引き手装置２を構成する付勢手段２２）
付勢手段２２は、図示の例では、リリースアーム２１における他方引き戸３００の表面３０５側に向けられた面であって、前記押し当たり部２１ａとガイド部２１ｂの形成箇所の間と、後述する取付ベース体２４の支持部２４ｃの内部との間に介装されて、このリリースアーム２１を常時他方引き戸３００の表面３０５側から離れ出す向きに向けて付勢する圧縮コイルバネ２２ａにより構成されている。
【０１３７】
（他方引き戸３００側の引き手装置２を構成する連係部材２３）
この実施の形態にあっては、連係部材２３は、
（１）ハンドルバー２０ａの端部の保持部２３ａと、
（２）ハンドルバー２０ａの回動軸２３ｅと、
（３）この回動軸２３ｅと離れた位置でリリースアーム２１の一部に接触する接触部２３ｉとを有している。
【０１３８】
図示の例では、連係部材２３は、横向きに板面を配した基板２３ｋの一面側に前記保持部２３ａを、この基板２３ｋの他面側に前記回動軸２３ｅと接触部２３ｉとを有するように構成されている。
【０１３９】
保持部２３ａは、中空のハンドルバー２０ａの内郭形状に倣った外面形状を有する差込部２３ｂと、このハンドルバー２０ａの外郭形状に倣った内面形状を有するカバー部２３ｃとを、この差込部２３ｂの外面とカバー部２３ｃの内面との間にハンドルバー２０ａの肉厚寸法分の間隔を開けて、前記基板２３ｋの一面側に一体に形成させることにより、構成されている。
【０１４０】
そして、図示の例では、ハンドルバー２０ａの一方の端部（図示の例では下端部）に、この端部よりハンドルバー２０ａ内に前記差込部２３ｂが入れ込まれ、かつ、この端部の外側を前記カバー部２３ｃにより覆うようにして前記保持部２３ａを組み付けることにより、ハンドルバー２０ａと連係部材２３とが組み合わされるようになっている。図中符号２３ｄで示すのは、この組み合わせ状態を維持するために、ハンドルバー２０ａの外側から保持部２３ａにネジ付けられるネジである。
【０１４１】
また、図示の例では、回動軸２３ｅは、前記基板２３ｋの他面からこの他面にほぼ直交する向きに突き出すと共に、後述する取付ベース体２４における支持部２４ｃの一面（図示の例では上面）に貫通状態に設けられた軸穴２４ｆに入れ込まれる筒状軸体２３ｆとして構成されている。
【０１４２】
この筒状軸体２３ｆの対向位置には、前記軸穴２４ｆへのこの筒状軸体２３ｆの入れ込みに伴って一旦内向きに弾性変形した後、この軸穴２４ｆにこの筒状軸体２３ｆを入れ込み切った位置で弾発してこの軸穴２４ｆに対し取付ベース体２４の内部において掛合部分２３ｈを掛合させる弾性片２３ｇが設けられており、この弾性片２３ｇの掛合部分２３ｈの掛合によって連係部材２３と取付ベース体２４との組み合わせ状態が維持されるようになっている。
【０１４３】
また、図示の例では、接触部２３ｉは、前記基板２３ｋの他面からこの他面にほぼ直交する向きに突き出す棒状体２３ｊとして構成されている。
【０１４４】
そして、図示の例では、この棒状体２３ｊが、後述する取付ベース体２４における支持部２４ｃの一面（図示の例では上面）に貫通状態に設けられたガイド穴２４ｅを通じて、この取付ベース体２４の支持部２４ｃ内に入り込んでいる前記リリースアーム２１のガイド部２１ｂに形成されたリンク穴２１ｃに入り込むようになっている。
【０１４５】
かかるガイド穴２４ｄは、前記回動軸２３ｅの軸線、すなわち、前記操作部材２０の回動軸線ｘを円心とした仮想の円の円弧に沿った長穴状をなすように構成されており、このガイド穴２４ｅの一端側から他端側までの間での前記円弧に沿った棒状体２３ｊの移動を許容するように構成されている。
【０１４６】
また、前記リンク穴２１ｃは、前記棒状体２３ｊの直径よりも大きい穴として構成されており、前記ガイド穴２４ｄにおける他方引き戸３００の表面３０５に近い端部に棒状体２３ｊが位置されている状態（図１６の状態）および、このガイド穴２４ｄにおける他方引き戸３００の表面に近い端部と反対の端部に棒状体２３ｊが位置されている状態（図１９の状態）においてそれぞれ、前記付勢手段２２の付勢により異なる位置でこのリンク穴２１ｃの穴内壁を棒状体２３ｊに押し当てるように構成されている。
【０１４７】
これにより、この実施の形態にあっては、かかる連係部材２３により、ハンドルバー２０ａとリリースアーム２１とを、このリリースアーム２１の押し当たり部２１ａをラッチアーム１１の掛合突部１１ｂの側方に位置させた状態（図１６）から、ハンドルバー２０ａを回動操作することにより移動される連係部材２３の接触部２３ｉにより前記付勢手段２２の付勢に抗する向きにリリースアーム２１を移動させてこの押し当たり部２１ａをラッチアーム１１の掛合突部１１ｂに側方から押し当て、このラッチアーム１１をその掛合突部１１ｂと被掛合部３０１との掛合を解く向きに移動させることができるように、組み付け合わせることができる。
【０１４８】
すなわち、かかる連係部材２３により、ハンドルバー２０ａの回動がリリースアーム２１の前後動となるように、ハンドルバー２０ａとリリースアーム２１とを連係させ合わせることができる。
【０１４９】
（他方引き戸３００に対する取り付け）
この実施の形態にあっては、他方引き戸３００に開設された取付穴３０４に他方引き戸３００の表面３０５側から入れ込み取り付けられる取付ベース体２４によって、ハンドルバー２０ａが他方引き戸３００の表面３０５側に備え付けられると共に、他方引き戸３００の裏面３０６側にリリースアーム２１が配され、さらに、このハンドルバー２０ａとリリースアーム２１とが前記のように連係されるようになっている。
【０１５０】
すなわち、この実施の形態にあっては、
（１）連係部材２３が、かかる取付ベース体２４に回動軸２３ｅを回動可能にはめ付けて支持されるようにしてある。
（２）また、リリースアーム２１が、この取付ベース体２４の取付穴３０４への入れ込み部２４ａ内に前後方向に移動可能にその一部を入れ込ませてこの取付ベース体２４に組み合わされている。
（３）そして、連係部材２３の接触部２３ｉが、このように取付ベース体２４の入れ込み部２４ａ内に入れ込まれたリリースアーム２１の一部に形成されたこの接触部２３ｉより大きいリンク穴２１ｃに入り込まされていると共に、取付ベース体２４内に付勢手段２２が内蔵されている。
【０１５１】
具体的には、かかる取付ベース体２４は、前記取付穴３０４への入れ込み部２４ａと、この入れ込み部２４ａを取付穴３０４に入れ込ませた状態で他方引き戸３００の表面３０５側にこの表面３０５から突き出し状に位置される支持部２４ｃとを備えている。
【０１５２】
支持部２４ｃは、入れ込み部２４ａ側を開放させたケース状をなすように構成されている。
【０１５３】
一方、入れ込み部２４ａは、この支持部２４ｃの開放部２００の上縁に沿って形成された上板部と、
この開放部２００の下縁に沿って形成された下板部と、この開放部２００の鉛直方向にある一方縁に沿って形成された側板部とにより構成されている。
【０１５４】
そして、図示の例にあっては、この入れ込み部２４ａを構成する上板部と下板部との間に、側板部の設けられていない側から押し当たり部２１ａの形成側を側方に突き出させた状態で、リリースアーム２１を前後動可能に納めさせている。
【０１５５】
具体的には、かかる上板部と下板部とには、それぞれ、他方引き戸３００の前後方向に沿った割溝２４ｂが設けられており、リリースアーム２１はその上部と下部に設けられた掛合突起２１ｄをこの割溝２４ｂに摺動可能にはめ込ませることにより、前記入れ込み部２４ａに前記のように納められている。
【０１５６】
また、支持部２４ｃの中程には、前記開放部２００からこの支持部２４ｃの内奥部に亙る一対の仕切板２４ｇ、２４ｇが設けられており、この一対の仕切板２４ｇ、２４ｇの間に、リリースアーム２１のガイド部２１ｂが納まるようにしてある。すなわち、この一対の仕切板２４ｇ、２４ｇの向き合った側が前記ガイド壁２４ｄとなるようにしてある。
【０１５７】
また、支持部２４ｃの一面（図示の例では上面）には、この一対の仕切板２４ｇ、２４ｇ間の空間に連通するように前記ガイド穴２４ｅが設けられていると共に、この一対の仕切板２４ｇ、２４ｇを挟んだリリースアーム２１の押し当たり部２１ａの突き出し側と反対の側に前記軸穴２４ｆが設けられている。
【０１５８】
また、この一対の仕切板２４ｇ、２４ｇを挟んだリリースアーム２１の押し当たり部２１ａの突き出し側となる支持部２４ｃの内部とリリースアーム２１との間に、前記圧縮コイルバネ２２ａが納められている。
【０１５９】
そして、このように構成される取付ベース体２４に対し、前記のように連係部材２３が組み付け合わされるようになっている。
【０１６０】
この結果、この実施の形態にあっては、取付ベース体２４を他方引き戸３００の取付穴３０４にその入れ込み部２４ａを入れ込ませて取り付けることにより、ハンドルバー２０ａを他方引き戸３００の表面３０５側に備え付けると共に、他方引き戸３００の裏面３０６側にリリースアーム２１を配させ、さらに、このハンドルバー２０ａとリリースアーム２１とを前記のように連係させることができる。
【０１６１】
なお、図示の例では、リリースアーム２１のガイド部２１ｂに形成されたリンク穴２１ｃに接触部２３ｉを入れ込ませている連係部材２３は、このリリースアーム２１が付勢手段２２によって他方引き戸３００の表面から離れ出す向きに常時付勢されていることから、通常は、図１６の状態にハンドルバー２０ａを位置づけさせる。
【０１６２】
また、図示の例では、連係部材２３におけるハンドルバー２０ａの回動中心となる回動軸２３ｅの形成側と反対の側が他方引き戸３００の前端３０３側に向けられている。これにより、図示の例では、閉じ込み状態にある他方引き戸３００をハンドルバー２０ａを把持などして開き出し操作しようとするとハンドルバー２０ａもリリースアーム２１のアーム端を前記ラッチアーム１１のアーム端に押し当てる向きに（つまり、ラッチアーム１１の掛合部１１ａと被掛合部３０１との掛合を解くようにこのラッチアーム１１を前記付勢手段１２の付勢に抗して移動させる向きに）このリリースアーム２１を移動させるように回動されることとなり、ハンドルバー２０ａの回動操作を特に意識しないでハンドルバー２０ａを把持などしても支障なく他方引き戸３００を開き出させることができるようになっている。
【０１６３】
図示の例では、取付ベース体２４の入れ込み部２４ａと支持部２４ｃとの間に外鍔２４ｈが設けられており、このように取付穴３０４に入れ込まれた取付ベース体２４の入れ込み部２４ａに他方引き戸３００の裏面３０６側からこの入れ込み部２４ａにカバー体２４ｉを取り付け、このカバー体２４ｉと入れ込み部２４ａとをネジ止めすることによって、このカバー体２４ｉと外鍔２４ｈとにより他方引き戸３００の取付穴３０４の形成部分を前後から挟み付けて取付ベース体２４を他方引き戸３００に取り付けさせるようにしている。また、図示の例にあっては、カバー体２４ｉに形成された貫通穴２４ｊを通じて、前記他方引き戸３００の被掛合部３０１に掛合部１１ａを掛合させている前記ラッチアーム１１のアーム端の側方にアーム端を位置させるリリースアーム２１の移動位置において、カバー体２４ｉの背面から突き出す突き出す突起２１ｅがこのリリースアーム２１に設けられており、この突起２１ｅの押圧によってもこのリリースアーム２１を前記付勢手段２２の付勢に抗して移動させて前記のようにラッチアーム１１の掛合部１１ａと被掛合部３０１との掛合を解くことができるようになっている。これにより、例えば、かかる引き手装置２を物置の引き分け戸を構成する他方引き戸３００に取り付けた場合において、物置内からもこの他方引き戸３００および一方引き戸１００を開放させることが可能となっている。
【０１６４】
また、図示の例にあっては、ハンドルバー２０ａにおける他端部（図示の例では上端部）が、このハンドルバー２０ａの一端部（図示の例では下端部）を他方引き戸３００に以上に説明したように取り付けさせる取付ベース体２４とほぼ同一構造の取付ベース体２４によって同様に他方引き戸３００に取り付けさせるようにしてある。
【０１６５】
このハンドルバー２０ａの上端部を取り付けさせるための取付ベース体２４にも、この取付ベース体２４の支持部２４ｃの下面側に、前記連係部材２３と同様の連係部材２３が組み付けられ、この連係部材２３にハンドルバー２０ａの上端部が保持される。
【０１６６】
このハンドルバー２０ａの上端部を取り付けさせるための取付ベース体２４の入れ込み部２４ａにも、前記リリースアーム２１にほぼ等しい構成を備えたスライド部材２５が納められているが、このスライド部材２５は入れ込み部２４ａから突き出す部分を持つようなアーム状には構成されていない。
【０１６７】
また、取付ベース体２４内には、スライド部材２５を常時他方引き戸３００の表面から離れる向きに付勢する付勢手段２２として機能する圧縮コイルバネ２２ａが納められている。
【０１６８】
これにより、図示の例では、ハンドルバー２０ａを他方引き戸３００の上下方向に長く構成していても、このハンドルバー２０ａを安定的に他方引き戸３００に対し支持することができる。
【０１６９】
ハンドルバー２０ａの上端部を取り付けさせるための取付ベース体２４、連係部材２３、付勢手段２２としての圧縮コイルバネ２２ａは、ハンドルバー２０ａの下端部を取り付けさせるための取付ベース体２４、連係部材２３、付勢手段２２としての圧縮コイルバネ２２ａと実質的に同一であるので、その余の説明は、両者の各部に対する符号を同一の符号とすることにより省略する。
【０１７０】
また、ハンドルバー２０ａの上端部を取り付けさせるための取付ベース体２４に納められるスライド部材２５は、ハンドルバー２０ａの下端部を取り付けさせるための取付ベース体２４に納められるリリースアーム２１と一部を除き実質的に同一であるので、その余の説明は、両者の各部に対する符号を同一の符号とすることにより省略する。
【０１７１】
【発明の効果】
この発明にかかる引き手装置によれば引き手装置の取付箇所での引き戸の内外寸法を必要最小限に保ちながら、この引き戸を閉じ込み切った状態を解除可能に維持するラッチ機能をこの引き手装置に適切に備えさせることができる。
【図面の簡単な説明】
【図１】引き戸１００用の引き手装置１の取り付けられた引き戸１００の正面構成図
【図２】図１におけるＡ−Ａ線断面図（ラッチアーム１１の掛合状態）
【図３】図１におけるＢ−Ｂ線断面図（ラッチアーム１１の掛合状態）
【図４】図１におけるＣ−Ｃ線位置での破断端面図（ラッチアーム１１の掛合状態）
【図５】図１におけるＡ−Ａ線位置での断面図（ラッチアーム１１の掛合解除状態）
【図６】図１におけるＢ−Ｂ線位置での断面図（ラッチアーム１１の掛合解除状態）
【図７】図１におけるＣ−Ｃ線位置での破断端面図（ラッチアーム１１の掛合解除状態）
【図８】引き手装置１の正面図
【図９】引き手装置１の側面図
【図１０】ハンドルバー１０ａの上端部を支持する部材の平面図
【図１１】ハンドルバー１０ａの下端部を支持する部材の底面図
【図１２】ハンドルバー１０ａの下端部の支持状態を示す斜視図
【図１３】ハンドルバー１０ａの上端部を支持する部材の分解斜視図
【図１４】ハンドルバー１０ａの下端部を支持する部材の分解斜視図
【図１５】引き分け戸用の引き手装置１、２の取り付けられた一方引き戸１００と他方引き戸３００の正面構成図
【図１６】図１５におけるＤ−Ｄ線断面図（ラッチアーム１１の掛合状態）
【図１７】図１５におけるＥ−Ｅ線断面図（ラッチアーム１１の掛合状態）
【図１８】図１５におけるＤ−Ｄ線位置での断面図（ラッチアーム１１の掛合解除状態）
【図１９】図１５におけるＤ−Ｄ線位置での断面図（ラッチアーム１１の掛合解除状態）
【図２０】一方引き戸１００側の引き手装置１の正面図
【図２１】一方引き戸１００側のハンドルバー１０ａの上端部を支持する部材の平面図
【図２２】一方引き戸１００側のハンドルバー１０ａの下端部を支持する部材の底面図
【図２３】他方引き戸３００側の引き手装置２の正面図
【図２４】他方引き戸３００側のハンドルバー２０ａの上端部を支持する部材の平面図
【図２５】他方引き戸３００側のハンドルバー２０ａの下端部を支持する部材の底面図
【図２６】一方引き戸１００側のハンドルバー１０ａの下端部の支持状態および他方引き戸３００側のハンドルバー２０ａの下端部の支持状態を示す斜視図
【図２７】他方引き戸３００側のハンドルバー２０ａの上端部を支持する部材の分解斜視図
【図２８】他方引き戸３００側のハンドルバー２０ａの下端部を支持する部材の分解斜視図
【図２９】一方引き戸１００側のハンドルバー１０ａの上端部を支持する部材の分解斜視図
【図３０】一方引き戸１００側のハンドルバー１０ａの下端部を支持する部材の分解斜視図
【符号の説明】
ｘ　回動軸線
１００　引き戸
２００　開放部
２０１　突き当たり部
２０２　被掛合部
１　引き手装置
１０　操作部材
１１　ラッチアーム
１１ａ　掛合部
１２　付勢手段
１３　連係部材
【図１】
2004011177.tif 000003
【図２】
2004011177.tif 000004
【図３】
2004011177.tif 000005
【図４】
2004011177.tif 000006
【図５】
2004011177.tif 000007
【図６】
2004011177.tif 000008
【図７】
2004011177.tif 000009
【図８】
2004011177.tif 000010
【図９】
2004011177.tif 000011
【図１０】
2004011177.tif 000012
【図１１】
2004011177.tif 000013
【図１２】
2004011177.tif 000014
【図１３】
2004011177.tif 000015
【図１４】
2004011177.tif 000016
【図１５】
2004011177.tif 000017
【図１６】
2004011177.tif 000018
【図１７】
2004011177.tif 000019
【図１８】
2004011177.tif 000020
【図１９】
2004011177.tif 000021
【図２０】
2004011177.tif 000022
【図２１】
2004011177.tif 000023
【図２２】
2004011177.tif 000024
【図２３】
2004011177.tif 000025
【図２４】
2004011177.tif 000026
【図２５】
2004011177.tif 000027
【図２６】
2004011177.tif 000028
【図２７】
2004011177.tif 000029
【図２８】
2004011177.tif 000030
【図２９】
2004011177.tif 000031
【図３０】
2004011177.tif 000032